(57)【要約】      （修正有）【課題】各家庭の寝室には照明器具とその近くに必ず住宅用の警報装置付火災報知器の取り付けが義務づけられ、天井に２個付く事になる。【解決手段】住宅用火災報知器（警報装置付）を天井付け式の照明器具に一体化するとすっきりする。【選択図】図１
0003134565.tif 000002
【実用新案登録請求の範囲】
【請求項１】
住宅用火災報知器（警報装置付）を天井付け式の照明器具に一体化する
【請求項２】
煙感知部は照明器具の操作用の紐の受けの先の部分に付け照明器具の本体から離して熱による対流の影響を受けにくくする
【請求項３】
住宅用火災報知器（警報装置付）の電源は独立電源とする
【考案の詳細な説明】
【技術分野】
【０００１】  火災報知器は照明器具と電源は独立したものとする
【背景技術】
【０００２】
【考案の開示】
【考案が解決しようとする課題】〔住宅火災による焼死者が年間１０００人以上になったことを受けて、消防法が変わって２００６年６月から新築住宅の寝室部分と  二階以上があればその階段部分に住宅用火災報知器（警報装置付）の取り付けが義務ずけられる。既設住宅に関しても各地方自治体ごとに年数を決めて住宅用火災報知器（警報装置付）の取り付けが義務ずけられる〕
【課題を解決するための手段】〔各家庭の寝室には照明器具の近くに必ず住宅用の警報装置付火災報知器の取り付が義務ずけられる・・・・〕
【考案の効果】
【宅火報付照明器具を従来の照明器具の代わりに付けると天井がすっきりする・】
【考案を実施するための最良の形態】
【住宅の新築時には電気工事と同時に火災報知器を取り付ける・】
【実施例】
【・・・・】
【産業上の利用可能性】
【照明器具の買い替え需要が見込まれる・・・・】
【図面の簡単な説明】
【・・・・】
【図１】
【符号の説明】
【・・・・】
【図１】
0003134565.tif 000003
【図２】
0003134565.tif 000004
【手続補正書】
【提出日】平成18年1月23日(2006.1.23)
【手続補正１】
【補正対象書類名】実用新案登録請求の範囲
【補正対象項目名】全文
【補正方法】変更
【補正の内容】
【実用新案登録請求の範囲】
【請求項１】
警報装置付住宅用火災報知器を天井付け式の照明器具に組み込み一体化する
〔請求項１のＡ〕
警報装置付住宅用火災報知器の煙感知部は照明器具の紐受けの  先端の部分に付け照明器具の本体から離して熱による対流の影響を受けにくくする
〔請求項１のＢ〕
警報装置付住宅用火災報知器と照明器具の電源は独立した電源とする
【手続補正２】
【補正対象書類名】明細書
【補正対象項目名】全文
【補正方法】変更
【補正の内容】
【考案の詳細な説明】
【技術分野】
【０００１】警報装置付住宅用火災報知器を天井付け式の照明器具に組み込み一体化する
【背景技術】
【０００２】
【考案の開示】
【考案が解決しようとする課題】
【０００３】住宅火災による焼死者が年間１０００人以上になったことを受けて、消防法が変わって２００６年６月から新築住宅の寝室部分と  二階以上があればその階段部分に住宅用火災報知器（警報装置付）の取り付けが義務ずけられる。既設住宅に関しても各地方自治体ごとに年数を決めて住宅用火災報知器（警報装置付）の取り付けが義務ずけられる
【課題を解決するための手段】
【０００４】各家庭の寝室と階段の踊り場には照明器具の近くに必ず住宅用の警報装置付火災報知器の取り付が義務ずけられる
【考案の効果】
【０００５】宅火報付照明器具を従来の照明器具の代わりに付けると天井がすっきりする
【考案を実施するための最良の形態】
【０００６】住宅の新築時には電気工事と同時に火災報知器を取り付ける
【実施例】
【０００７】
【産業上の利用可能性】
【０００８】照明器具の買い替え需要が見込まれる
【図面の簡単な説明】
【０００９】
【図１】平面図    警報装置付住宅用火災報知器と照明器具の一体化したもの
【図２】側面図    警報装置付住宅用火災報知器と照明器具の一体化したものを天井に取り付けたところ
【符号の説明】
【００１０】
【手続補正３】
【補正対象書類名】図面
【補正対象項目名】全図
【補正方法】変更
【補正の内容】
【図１】
0003134565.tif 000005
【図２】
0003134565.tif 000006
【手続補正書】
【提出日】平成18年5月1日(2006.5.1)
【手続補正１】
【補正対象書類名】実用新案登録請求の範囲
【補正対象項目名】全文
【補正方法】変更
【補正の内容】
【実用新案登録請求の範囲】
【請求項１】
警報装置付住宅用火災報知器を天井付け式の照明器具に組み込み一体化する
〔請求項１のＡ〕
警報装置付住宅用火災報知器の煙感知部は照明器具の紐受けの  先端の部分に付け照明器具の本体から離して熱による対流の影響を受けにくくする
〔請求項１のＢ〕
警報装置付住宅用火災報知器と照明器具の電源は独立した電源とする
【手続補正２】
【補正対象書類名】明細書
【補正対象項目名】全文
【補正方法】変更
【補正の内容】
【考案の詳細な説明】
【技術分野】
【０００１】警報装置付住宅用火災報知器を天井付け式の照明器具に組み込み一体化する
【背景技術】
【０００２】市販の住宅用火災報知器を使って煙の感知部を照明器具の紐スイッチ用のステーの先に取り付け結線する
【考案の開示】
【考案が解決しようとする課題】
【０００３】住宅火災による焼死者が年間１０００人以上になったことを受けて、消防法が変わって２００６年６月から新築住宅の寝室部分と  二階以上があればその階段部分に住宅用火災報知器（警報装置付）の取り付けが義務ずけられる。既設住宅に関しても各地方自治体ごとに年数を決めて住宅用火災報知器（警報装置付）の取り付けが義務ずけられる
【課題を解決するための手段】
【０００４】各家庭の寝室と階段の踊り場には必ず住宅用の警報装置付火災報知器の取り付が義務ずけられる
【考案の効果】
【０００５】宅火報付照明器具を従来の照明器具の代わりに付けると天井がすっきりする
【考案を実施するための最良の形態】
【０００６】住宅の新築時には照明器具取り付け電気工事と同時に火災報知器を取り付ける
【産業上の利用可能性】
【０００８】照明器具の買い替え需要が見込まれる
【図面の簡単な説明】
【０００９】
【図１】平面図    警報装置付住宅用火災報知器と照明器具の一体化したもの
【図２】側面図    警報装置付住宅用火災報知器と照明器具の一体化したものを天井に取り付けたところ
【手続補正３】
【補正対象書類名】図面
【補正対象項目名】全図
【補正方法】変更
【補正の内容】
【図１】
0003134565.tif 000007
【図２】
0003134565.tif 000008
【手続補正書】
【提出日】平成18年7月28日(2006.7.28)
【手続補正１】
【補正対象書類名】実用新案登録請求の範囲
【補正対象項目名】全文
【補正方法】変更
【補正の内容】
【実用新案登録請求の範囲】
【請求項１】
住宅用火災報知器（警報装置付）を内部に組み込んだ、天井付け式の照明器具の形状を有する照明器具
【請求項２】
住宅用火災報知器（警報装置付市販品）を改造して取り付ける。
【請求項３】
市販品の住宅用火災報知器の煙感知部を取り外し、照明器具の操作用の紐の受けの先の部分に取り付け、照明器具の本体から離して、熱による対流の影響を受けにくくする。
【手続補正２】
【補正対象書類名】明細書
【補正対象項目名】全文
【補正方法】変更
【補正の内容】
【考案の詳細な説明】
【技術分野】
【０００１】この考案は市販の住宅用火災報知器を改造して、照明器具に組み込み一体化することにより住宅用火災報知器の異常の早期の発見にも役立つ。
【背景技術】
【０００２】市販の住宅用火災報知器と照明器具を改造して使用する。
【考案の開示】
【考案が解決しようとする課題】
【０００３】住宅火災による焼死者が年間１０００人以上になったことを受けて、消防法が変わって２００６年６月から新築住宅の寝室部分と、二階以上があればその階段部分に住宅用火災報知器（警報装置付）の取り付けが義務ずけられる。
既設住宅に関しても、各地方自治体ごとに、経年数を決めて、住宅用火災報知器（警報装置付）の取り付けが義務ずけられる
【課題を解決するための手段】
【０００４】この考案の請求項１に係る住宅用火災報知器（警報装置付）を内部に組み込んだ、天井付け式の照明器具の形状を有する照明器具は住宅用火災報知器の異常の早期の発見にも役立つ。
【考案の効果】
【０００５】宅火報付照明器具を、従来の照明器具の代わりに付けると天井がすっきりする・住宅用火災報知器の異常の早期の発見に役立つ。
【背景技術】
【考案を実施するための最良の形態】
【０００６】住宅の新築時に、電気工事（照明器具）と同時に火災報知器を取り付けでき、その取り付けが確認しやすい・
【産業上の利用可能性】
【０００８】照明器具の買い替え需要が見込まれる
【図面の簡単な説明】
【０００９】照明器具の中に、市販の住宅用火災報知器を改造して設置する【図１】平面図  警報装置付住宅用火災報知器と照明器具を一体化したもの
【図２】側面図  警報装置付住宅用火災報知器と照明器具を一体化したものを天井に取り付けたところ
【手続補正３】
【補正対象書類名】手続補正書
【補正対象項目名】手続補正４
【補正方法】削除
【補正の内容】
【手続補正５】
【補正対象書類名】図面
【補正対象項目名】全図
【補正方法】変更
【補正の内容】
【図１】
0003134565.tif 000009
【図２】
0003134565.tif 000010
【手続補正書】
【提出日】平成18年11月13日(2006.11.13)
【手続補正１】
【補正対象書類名】実用新案登録請求の範囲
【補正対象項目名】全文
【補正方法】変更
【補正の内容】
【実用新案登録請求の範囲】
【請求項１】
住宅用火災報知器を内部に組み合わせた、天井付け式の照明器具
〔請求項１−１〕
市販品の住宅用火災報知器の煙感知部を取り外し、照明器具の操作用の紐の受けの先の部分に取り付け、照明器具の本体から離して、照明器具の熱による対流の影響を防ぐ事を特徴とする請求項１記載の照明器具
【手続補正２】
【補正対象書類名】明細書
【補正対象項目名】全文
【補正方法】変更
【補正の内容】
【考案の詳細な説明】
【技術分野】
【０００１】この考案は市販の住宅用火災報知器を改造して、照明器具に組み込み一体化することにより住宅用火災報知器の異常の早期の発見にも役立つ。
【背景技術】
【０００２】市販の住宅用火災報知器と照明器具を改造して使用する。
【考案の開示】
【考案が解決しようとする課題】
【０００３】住宅火災による焼死者が年間１０００人以上になったことを受けて、消防法が変わって２００６年６月から新築住宅の寝室部分と、二階以上があればその階段部分に住宅用火災報知器の取り付けが義務ずけられる。
既設住宅に関しても、各地方自治体ごとに、経年数を決めて、住宅用火災報知器（警報装置付）の取り付けが義務ずけられる
【課題を解決するための手段】
【０００４】この考案の請求項１に係る住宅用火災報知器を組み合わせた、天井付け式の照明器具は寝室の天井に付ければ毎晩寝るとき見上げるので住宅用火災報知器の異常の早期の発見に大変有効である。
【考案の効果】
【０００５】宅火報付照明器具を、従来の照明器具の代わりに付けると天井がすっきりする・
【背景技術】
【考案を実施するための最良の形態】
【０００６】  住宅の新築時に、電気工事；照明器具の取り付けと同時に火災報知器を取り付けでき、法令上の取り付け義務の確認が容易である
【産業上の利用可能性】
【０００８】照明器具の買い替え需要が見込まれる
【図面の簡単な説明】
【０００９】照明器具の中に、市販の住宅用火災報知器を改造して組み合わせる【図１】平面図  警報装置付住宅用火災報知器と照明器具を組み合わせたもの
【図２】側面図  警報装置付住宅用火災報知器と照明器具を組み合わせたものを天井に取り付けたところ
【手続補正３】
【補正対象書類名】図面
【補正対象項目名】全図
【補正方法】変更
【補正の内容】
【図１】
0003134565.tif 000011
【図２】
0003134565.tif 000012
【手続補正書】
【提出日】平成19年3月29日(2007.3.29)
【手続補正１】
【補正対象書類名】実用新案登録請求の範囲
【補正対象項目名】全文
【補正方法】変更
【補正の内容】
【実用新案登録請求の範囲】
【請求項１】
天井付け式の住宅用照明器具の内部に住宅用煙感知式火災報知器を組み込み火災報知機能を持った  住宅用火災報知器付照明器具
【手続補正２】
【補正対象書類名】明細書
【補正対象項目名】全文
【補正方法】変更
【補正の内容】
【考案の詳細な説明】
【技術分野】
【０００１】この考案は  住宅用煙感知式火災報知器を改造して、天井付け式の照明器具に組み込み一体化することにより火災報知器機能を持たせる。
【考案の開示】
【考案が解決しようとする課題】
【０００２】住宅火災による焼死者が年間１０００人以上になったことを受けて、消防法が変わって２００６年６月から新築住宅の寝室部分と、二階以上があればその階段部分に住宅用火災報知器の取り付けが義務ずけられた。
既設住宅に関しても、各地方自治体ごとに、経年数を決めて、住宅用火災報知器の取り付けが義務ずけられる
【課題を解決するための手段】
【０００３】この考案の請求項１に係る住宅用火災報知器を組み合わせた、天井付け式の照明器具は寝室の天井に付ければ毎晩寝るとき見上げるので住宅用火災報知器の異常の早期の発見に大変有効である。
【考案の効果】
【０００４】宅火報付照明器具を、従来の天井付け式照明器具の代わりに付けると天井がすっきりする。
【考案を実施するための最良の形態】
【０００５】住宅の新築時に、電気工事；照明器具の取り付けと同時に火災報知器を取り付けでき、法令上の取り付け義務の確認が容易である
【産業上の利用可能性】
【０００６】天井付け式の照明器具の買い替え需要が見込まれる
【図面の簡単な説明】
【０００７】照明器具の中に、市販の住宅用火災報知器を改造して組み合わせる【図１】平面図  警報装置付住宅用火災報知器と照明器具を組み合わせたもの
【図２】側面図  警報装置付住宅用火災報知器と照明器具を組み合わせたものを天井に取り付けたところ
【手続補正３】
【補正対象書類名】図面
【補正対象項目名】全図
【補正方法】変更
【補正の内容】
【図１】
0003134565.tif 000013
【図２】
0003134565.tif 000014